(57)【特許請求の範囲】
【請求項１】
機器の外装ケース表面に設けた窓部材と、前記外装ケース内に収納したプリント基板と、前記プリント基板上で、かつ前記窓部材に対向する位置に設けた表示部と、前記表示部と前記窓部材との間に介在された透過部材とを具備し、前記透過部材は半透明シートと透明シートとを接着して構成され、前記透明シートの裏面には前記表示部に対向する部分を不透明印刷抜き部として不透明印刷面とし、前記不透明印刷面上で、かつ前記不透明印刷抜き部の外周部分を前記表示部に接着した機器の表示装置。
【請求項２】
透過部材を構成する半透明シートと透明シートとは同じ熱膨張率を有する材質とした請求項１記載の機器の表示装置。
【請求項３】
透過部材の透明シートに印刷した不透明印刷面に設けた不透面印刷抜き部の面積は、表示部の表示よりは大きくし、不透面印刷面上に設けた接着剤印刷の接着剤抜き部の面積より小さくした請求項１記載の機器の表示装置。
【発明の詳細な説明】
【０００１】
【発明の属する技術分野】
本発明は、給湯機等の家庭用燃焼機器のリモコンなど、機器の表示装置に関するものである。
【０００２】
従来の機器の表示装置のなかには、図３に示す構成のものがあった。すなわち図３に示す機器の表示装置は、外装ケース１の表面に窓部材２があり、外装ケース１内に収納されたプリント基板３と、窓部材２に対向した位置であって、プリント基板３上に設けられた表示部４と窓部材２との間に配設した透過部材５を通して上記窓部材２より表示部４を目視するようになっていた。そして前記する透過部材５は、半透明のシート６と接着剤層７とからなっていて、シート６の表示部４側全面に接着剤層７があり、表示部４に接着剤層７で接着されていた。
【０００３】
【発明が解決しようとする課題】
上記する従来の機器の表示装置では、凹凸のある表示部４の全面に透過部材５が接着剤層７で接着しているため、透過部材５がひずみ、外装ケース１の窓部材２よりはプリント基板３上の表示部４の表示がひずんで見えるという課題があった。
【０００４】
そこで本発明は、上記従来の課題を解決し、表示がひずまないで明瞭に目視できる表示装置を提供しようとするものである。
【０００５】
【課題を解決するための手段】
本発明は前記する課題を解決するために、透過部材を半透明シートと透明シートとを接着して構成し、前記透明シートの裏面には、表示部に対向する部分を印刷抜き部として不透明印刷面とし、この不透明印刷面上であって前記不透明印刷抜き部の外周部分を表示部に接着したものである。
【０００６】
従って、透過部材は半透明シートと透明シートとの２シートの接着により剛性が従来より大きくて表面にひずみや湾曲を生じ難くなり、しかも透明シートの不透明な印刷面によって表示部以外の部分は窓部材より目視できず、表示部のみが浮き彫りして目視できる。また不透明印刷抜き部の外周部分が表示部に接着されるのみであるから接着面が全面に亘らず、この事からも透過部材のひずみや湾曲が少ないものである。
【０００７】
【発明の実施の形態】
本発明は、請求項１記載のように機器の外装ケース表面に設けた窓部材と、前記外装ケース内に収納したプリント基板と、前記プリント基板上であって、前記窓部材に対向する位置に設けた表示を有する表示部と、前記表示部と前記窓部材との間に介在された透過部材とを具備していて、前記透過部材は半透明シートと透明とを接着して構成されており、前記透明シートの裏面には前記表示部に対向する部分を不透明印刷抜き部として不透明印刷面上であって前記不透明印刷抜き部の外周部分を前記表示部に接着したものである。
【０００８】
従って、透過部材は不透明シートと透明シートとの２シートから構成されていて剛性が大きくなり湾曲やひずみが少ない。また、不透明印刷面によりプリント基板上の部品が窓部材より目に入ることがなく不透明印刷抜き部の透明部分を通じて表示部の表示のみが浮き上がる様に目視でき所期の作用を奏することができる。
【０００９】
また表示部には、凹凸のある表示を除いて透明シートの裏面の接着部が接着されるのでひずみや湾曲が少ない。
【００１０】
また、本発明は請求項２記載のように半透明シートと透明シートとを同じ熱膨張率を有する材質とすることができ、その場合は熱により透過部材が湾曲することがない。
【００１１】
また、本発明は請求項３記載のように透過部材の透明シートに印刷した不透明印刷面に設けた不透明印刷抜き部の面積は、表示部の表示よりは大きくし、不透明印刷面上に設けた接着剤印刷の接着剤抜き部の面積よりは小さくすることができる。そしてこの構成にした場合は、不透明印刷抜き部が接着されないで表示部の表示上に位置するため、凹凸のある表示によってひずむ事がない。また接着剤抜き部の面積よりは小さくすることにより接着剤印刷した部分は不透明印刷抜き部の外周に位置し、表示部に接着される事になり、本発明の作用を奏する実施が可能となる。
【００１２】
以下、本発明の実施例について図面を参照して説明する。
（実施例）
図１、２において、１１は表面に窓部材１２を設けたリモコンの外装ケースで、内部にプリント基板１３を収納している。そしてプリント基板１３上に固定された表示部１４にはＬＥＤ等の表示１５がある。
【００１３】
上記窓部材１２と表示部１４の間には透過部材１６があり、表示部１４の表示１５の外側に透過部材１６は接着剤１７により接着されている。
【００１４】
透過部材１６は半透明シート１８と透明シート１９とを接着して作製されている。そして半透明シート１８と透明シート１９はいずれも、ポリエステルフィルムで作られており、どちらも同じ熱膨張率である。
【００１５】
そして透明シート１９の裏面、すなわち表示部１４の表示１５に対向する側の面に不透明印刷抜き部２０を除いてブラック印刷による不透明印刷面２１が形成されその不透明印刷抜き部２０の周囲には枠形状の接着剤塗着部分２２が形成されその接着剤塗着部分２２には前記する接着剤１７が印刷塗着されている。
【００１６】
上記の透明シート１９の不透明印刷抜き部２０の面積は接着剤塗着部分２２を形成する接着剤印刷における接着剤抜き部２３の面積より小さく、かつ表示部１４の表示１５よりは大きい。
【００１７】
上記のように、透明シート１９の接着剤塗着部分２２に接着１７を印刷塗着した後、半透明シート１８を透明シート１９の表面に接着する。半透明シート１８と透明シート１９は接着層２３で密着され、異物の混入、気泡の溜まり等がないように作製される。
【００１８】
次に作用、効果について説明する。透過部材１６は、半透明シート１８と透明シート１９とが相互に接着されるので剛性が異なる一枚のシートよりも大幅に増加しており、湾曲を生じない。又、両シートともにポリエステルフィルムで作製され熱膨張率が小さいので温度が変化しても湾曲を生じない。不透明印刷面２１の不透明印刷抜き部２０は接着剤抜き部２３より面積が小さくしてあるので、表示１５のみが鮮明に目視できる。又、接着剤１７は枠形状の接着剤塗着部分２２のみに存在し、全面に塗着印刷されているものでないため、温度や湿度が大幅に変化しても半透明シート１８と透明シート１９と接着剤１７との間に起きる熱又は温度による変形率の差が小さくて透過部材１６に湾曲が起きない。
【００１９】
【発明の効果】
以上の説明から明らかなように本発明の機器の表示装置によれば、次の効果がある。
【００２０】
半透明シートと透明シートを接着することにより、透過部材の剛性が大幅に増加して、表面にひずみや湾曲を生じないので品位のある均一な表示を目視することができる。
【００２１】
また半透明シートと透明シートとは同一材料で作製すれば環境温度が変化しても湾曲がないので温度変化によるシートのひずみや、両シート間の接着剤のはがれがなく品位のある均一な表示が目視できる。
【００２２】
また透明シートの不透明印刷面によって表示部の外周や周りの部品が見えなく不透明印刷抜き部を通じて表示部の表示のみが目視できる。
【００２３】
また接着剤塗着部分は不透明印刷抜き部の外周部のみに存在していて透明シートの全面に存在しなく、従って表示面の凹凸の影響を受けず、又温度や湿度が大幅に変化しても透過部材が湾曲することはない。
【図面の簡単な説明】
【図１】本発明の一実施例における機器の表示装置の一部断面による分解斜視図
【図２】同装置における透明シートの裏面の平面図
【図３】従来の機器の表示装置の側断面図
【符号の説明】
１１  外装ケース
１２  窓部材
１３  プリント基板
１４  表示部
１５  表示
１６  透過部材
１８  半透明シート
１９  透明シート
２０  不透明印刷抜き部
２１  不透明印刷面
２２  接着剤塗着部分
２３  接着剤抜き部
【図１】
0003551624.tif 000002
【図２】
0003551624.tif 000003
【図３】
0003551624.tif 000004